(57)【要約】【課題】  両面原稿読み取りにより得られる画像データの利用性を向上させる。【解決手段】  両面原稿２ｉを一度に読み取る両面原稿読み取りによって得られた表裏面各々の画像データ２ｄを画像記憶部に蓄積する。蓄積した画像をもとに、表裏面の画像を合成して一枚の画像データ２ａを得る。両面原稿読み取りの出力を、合成画像データ２ａと、両面原稿読み取り出力（表裏面の各画像）そのままの画像データ２ｄの両方とする。表裏面の画像を合わせて１つの情報としての意味をもつ伝票や帳票などの管理における処理の効率を上げ、又両面原稿の再生出力（両面印刷）することも可能にする。【選択図】          図２
2006148244.tif 000002
【特許請求の範囲】
【請求項１】
両面原稿の読み取りが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段からの原稿の表裏面の各画像及び前記画像編集手段によって集約された画像を前記画像記憶手段に記憶させ、該画像記憶手段に記憶させた画像を出力画像として管理する制御手段を備えたことを特徴とする画像処理装置。
【請求項２】
両面原稿を可変の設定条件に従って読み取ることが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段の読み取り条件を、変倍率もしくは解像度によって指示された設定条件に従って変更し、前記画像編集手段によって集約された画像を前記画像記憶手段に記憶させ、該画像記憶手段に記憶させた画像を出力画像として管理する制御手段を備えたことを特徴とする画像処理装置。
【請求項３】
両面原稿を可変の設定条件に従って読み取ることが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段の読み取り条件を、変倍率もしくは解像度によって指示された設定条件に従って変更するとともに、集約の実行指示の有無に従い前記画像編集手段を動作させ、前記原稿読み取り手段からの原稿の表裏面の各画像及び前記画像編集手段によって集約された画像を前記画像記憶手段に記憶させ、該画像記憶手段に記憶させた画像を出力画像として管理する制御手段を備えたことを特徴とする画像処理装置。
【発明の詳細な説明】
【技術分野】
【０００１】
本発明は、原稿を読み取り、入力した画像データに利用側が求める処理を施して画像出力する、例えば、電子ファイル装置、デジタル複写機（ＭＦＰ機）等の画像処理装置に関し、より特定すると、両面原稿の読み取り手段を通して入力された原稿の表裏面の各画像を一枚の画像データに集約する手段を備えた画像処理装置に関する。
【背景技術】
【０００２】
昨今、電子ファイリングや画像情報の通信機能を備えた画像処理装置（システム）において、画像情報の入力手段として、スキャナが普通に用いられている。スキャナは、原稿をイメージセンサで読み取り、原稿画像を電子データ化する。
スキャナが読み取り対象とする原稿には、両面に読み取るべき画像のある「両面原稿」がある。従来から、両面原稿に対するスキャナ入力処理にあたって、処理速度を高めて作業効率を改善するために両面スキャナが用いられている。
両面スキャナは、普通、表面と裏面の画像の読み取り部を備え、１回の原稿読取りで原稿の表面と裏面の読み取りが可能な構造を持っている。また、このような構造を持つ両面スキャナは、表面と裏面の画像の読み取り系統を別にしているから、各系統で読み取られた表裏面の画像は、それぞれ別の画像データとして記憶され、管理される。
従って、伝票や帳票など、表裏あわせて１つの情報をもつもののデータ管理にとっては、表裏面の画像をそれぞれ別に管理するシステムでは、処理効率が悪く、不都合が生じる場合がある。
こうした問題を解決するために提案された従来例として、下記特許文献１を示すことができる。
特許文献１は、両面画像入力装置で読み取った原稿の表面と裏面の画像データを画像メモリ上で一画面に合成可能かを判断し、可能であれば、表面と裏面の画像データを一画面に合成して、画像データ記憶装置に登録するものである。特許文献１によると、登録した画像データは、表裏面を合成しているので、利用にあたって表示装置に表示するときは、表面と裏面の画像を１画面に表示でき、表裏面の画像が別に登録された場合に起きる不都合の解消を図ることが可能になる。
【特許文献１】特開平８−１６１４５６号公報
【発明の開示】
【発明が解決しようとする課題】
【０００３】
しかしながら、上記特許文献１に示されるような表裏面の画像合成機能は、スキャナ装置で画像の加工をしているため、以下に示すような問題がある。
第１に、表裏面の画像を１枚の電子データとしたとはいえ、実際に印刷をする場合、既存の環境では、画像合成機能によって１枚に統合された画像データを用いて「１枚の紙の表裏」に印刷する、即ち、原稿と同様に表裏面の画像をそれぞれの面に印刷する、といったことはできない。このような印刷をしようとする場合には、元の「統合されていない２枚の電子データ」即ち、表裏面それぞれの読み取り画像データが必要となる。
また、第２に、複数の画像を１枚に統合する際の条件として、変倍率もしくは画像解像度の問題がある。元のデータを単純に合成する場合、合成後の電子画像の面積は元の「原稿の片面サイズ」の２倍となり、このデータを用いると、印刷画像サイズは大きなものとなってしまう。ただ、２倍となった合成後のサイズを元の原稿サイズと同サイズに変倍もしくは解像度変更することは可能であるが、変倍等の処理を行うことにより得られる画像における劣化は避けられない。従って、この方法による解決は、使用者の要求や使用目的によって、適応性を欠くことになる。
本発明は、両面原稿読み取りを通して入力された原稿の表裏面の各画像を一枚の画像データに合成する手段を備えた従来の画像処理装置における上述の問題に鑑み、これを解決するためになされたもので、合成画像を唯一の読み取り画像としたために、両面原稿と同様に表裏面の画像を再生出力（印刷）することができなくなった、不具合を解消し、両面原稿読み取りにより得られる画像データの利用性を向上させることを解決すべき課題とする。
また、合成画像に対する変倍処理により印刷画像サイズに合わせる従来法によるような画質の劣化を回避し、合成画像データによる高画質の出力を可能とし、両面原稿読み取りにより得られる画像データの利用性を向上させることをさらなる課題とする。
【課題を解決するための手段】
【０００４】
請求項１の発明は、両面原稿の読み取りが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段からの原稿の表裏面の各画像及び前記画像編集手段によって集約された画像を前記画像記憶手段に記憶させ、該画像記憶手段に記憶させた画像を出力画像として管理する制御手段を備えた画像処理装置により、課題の解決を図る。
【０００５】
請求項２の発明は、両面原稿を可変の設定条件に従って読み取ることが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段の読み取り条件を、変倍率もしくは解像度によって指示された設定条件に従って変更し、前記画像編集手段によって集約された画像を前記画像記憶手段に記憶させ、該画像記憶手段に記憶させた画像を出力画像として管理する制御手段を備えた画像処理装置により、課題の解決を図る。
【０００６】
請求項３の発明は、両面原稿を可変の設定条件に従って読み取ることが可能な原稿読み取り手段と、原稿画像を記憶する画像記憶手段と、前記原稿読み取り手段によって読み取られた原稿の表裏面の各画像を一枚の画像に集約する画像編集手段を有する画像処理装置であって、前記原稿読み取り手段の読み取り条件を、変倍率もしくは解像度によって指示された設定条件に従って変更するとともに、集約の実行指示の有無に従い前記画像編集手段を動作させ、前記原稿読み取り手段からの原稿の表裏面の各画像及び前記画像編集手段によって集約された画像を前記画像記憶手段に記憶させ、該画像記憶手段に記憶させた画像を出力画像として管理する制御手段を備えた画像処理装置により、課題の解決を図る。
【発明の効果】
【０００７】
（１）  請求項１の発明によると、原稿の表裏面の画像を一枚の画像に集約した画像データと、両面原稿の読み取り出力（表裏面の各画像データ）そのままを画像出力に利用できるようにしたので、表裏面の画像あわせて１つの情報としての意味をもつ伝票や帳票などの管理における処理の効率を上げ、又両面原稿の再生出力（元の両面印刷原稿通り）をすることも可能になり、両面原稿読み取りにより得られる画像データの利用性の向上を図ることができる。
（２）  請求項２の発明によると、原稿の表裏面の画像を集約する際に、画像データの変倍率もしくは解像度として指示された画像読み取り条件に従って集約するようにしたので、画質を劣化させることなく、利用に適した画像サイズを得ることが可能となり、両面原稿読み取りにより得られる画像データの利用性の向上を図ることができる。
（３）  請求項３の発明によると、“集約をするか、否か”と“変倍率”の指定を可能にし、この設定操作を一回の原稿読み取りに対して様々なバリエーションで行うようにし、通常の両面出力、合成画像出力をそれぞれ単独で行ったり、組み合わせて行うことにより、広くユーザーの要求に応えることが可能になる。しかも、請求項１の発明では、必要とするか、否かに係わらず、常に２つの画像出力（通常の両面出力、合成画像出力）を記憶する処理を行うので、効率が低下するが、本発明では、この問題の改善が図られる。
【発明を実施するための最良の形態】
【０００８】
以下に、本発明の画像処理装置に係わる実施形態を示す。
図1は、本実施形態の画像処理装置の基本構成を示すブロック図である。
本実施形態の画像処理装置は、図1に示すように、制御部１、原稿読み取り部２、画像編集部３、画像記憶部４、画像出力部５、操作部６及び通信部７を基本的な構成要素として備える。
制御部１は、画像処理装置全体の制御を司るもので、操作部に対するユーザーの入力操作によって指示された動作条件や指令を把握し、制御下の各要素部の動作を制御する。本実施形態の画像処理装置では、両面原稿読み取りにより得られる画像データの利用性の向上を図るという課題を解決するために、後述する両面原稿の読取制御及び読み取った原稿表裏面を合成する、画像編集等の指示を行う。なお、ここで行う画像の“合成”は、画像を統合するために行うので、以下では、“集約”ともいう。
操作部６は、ユーザーによる動作条件の設定や動作指令の入力操作を受け付けるものである。ここでは、ダイアログ方式で入力操作を行うことを可能にし、そのために必要な情報をユーザーに示すための表示部を持つ。特に、本実施形態では、原稿表裏面の集約における「集約の条件設定」のための画面を制御する機能を備える。
原稿読取部２は、スキャナ読取により原稿画像を電子化データとして入力するものである。原稿読取部２は、スキャナにおける走査機構の制御およびイメージセンサの読み取り制御（後述する読み取りモードに対応した制御）を行うもので、読み取った原稿画像データを画像記憶部４に送る。
画像記憶部４は、複数の画像データを蓄積・管理するものである。画像記憶部４は、画像データの蓄積・管理が可能な記憶要素であれば良く、ＲＡＭやＨＤＤ（Hard Disc Drive）といった記憶装置からなる。
【０００９】
画像編集部３は、画像の合成や画像の変倍等の編集機能を持つ。画像記憶部４内の画像を取り出し、編集を行った後、画像記憶部４に送り返す。画像合成は、それぞれ別の画像データを一枚の画像データに統合する処理である。画像合成は、メモリ間のデータの転送操作により行われるものである。また、変倍は、画像データに対する処理であり、任意の倍率の設定で拡大、縮小が可能である。なお、画像合成、画像変倍は、いずれも処理手法そのものは、公知である。
画像出力部５は、画像記憶部４に蓄積・管理された画像データを用いて、画像をディスプレイに画面表示したり、紙媒体にプリント出力するものである。これらの画像出力手段は、いずれも公知の手段を用いることが可能である。
通信部７は、画像記憶部４に蓄積・管理された画像データをＰＣ等の外部の利用装置に転送する場合に用いる手段である。通信部７は、公知の手段を用いることが可能である。
ところで、図1に示した基本構成は、スキャナで読み取った原稿画像を蓄積し、蓄積画像データを出力に利用する装置として従来から知られている電子ファイル装置、デジタル複写機（ＭＦＰ機）等の画像処理装置における構成と相違がない。即ち、本実施形態に特有の動作は、制御部１によって行われる後記で詳述する制御動作にある。
従って、制御する側の制御部１及び操作部６には、本実施形態に特有の動作のために新たな要素（例えば、制御プログラムなど）を必要とする。他方、制御される側の他の構成要素そのものは、基本的に電子ファイル装置、デジタル複写機（ＭＦＰ機）等の公知の画像処理装置に用いているものと変わらない。
【００１０】
次に、両面原稿の画像読取・画像合成に係わる実施形態について、説明する。
上記した画像処理装置は、原稿読取部２において両面原稿の画像読取が可能である。
両面原稿の読取を行う時に、操作部６からのモード設定により、読み取った表裏面の画像を１枚の画像に合成する処理を行うことができる。
従来技術においても、この両面原稿の画像読取・画像合成機能は存在していた。ただ、従来技術において、この機能を設定すると、出力は、読み取った原稿と等倍の表裏面の画像が統合された画像であり（図２の合成画像２ａ、参照）、上記［発明が解決しようとする課題］の項に記したように、この出力画像データの利用性に限界が生じる。
そこで、この利用性を改善するために、本実施形態では、以下に、３つの形態の出力を行う例について示す。いずれの実施形態も、画像の合成出力を行うという点で、共通する。「実施形態１」は、両面原稿の再生を可能とする出力の付加によって、また「実施形態２」は、変倍を読み取り条件に付加することによって、また、「実施形態３」は、実施形態１又は実施形態２のモード選択を可能とする機能の付加によって、出力の利用性の改善を図るようにしたものである。
【００１１】
「実施形態１」
本実施形態は、表裏面の合成画像の外に、両面原稿の読み取り出力（表裏面の各画像データ）をそのまま出力するものである。即ち、一回の読み取りデータをもとに、読み取ったままの表裏面の各画像と合成画像の両方を出力するようにして、両面原稿読み取りにより得られる画像データの利用性の向上を図るものである。
図２は、本実施形態の両面原稿の画像読取・画像合成の処理フローを説明する図である。  図２を参照して、この画像読取・画像合成の処理過程を説明する。
(1)  原稿読み取り
ユーザーは、先ず、操作部６に入力操作を行って、両面原稿の読み取りモードを動作条件として設定する。その後、画像処理装置の原稿読取部２に両面原稿をセットして、スタートボタンの操作により、スタートさせる。
制御部１は、設定された両面原稿の読み取りモードの動作を原稿読取部２に指示する。この指示に従い、原稿読取部２は、「原稿表」「原稿裏」の画像２ｉの読み取りを行う。このとき、原稿読取部２では、原稿面をスキャナで読み取って、得られる画像信号に各種補正を施し、デジタルの画像に変える。
原稿読取部２で作成した画像は、記憶部４に蓄積される。このときに画像記憶部４に蓄積される画像は、「原稿表」「原稿裏」の画像２ｉそれぞれを別個の画像ファイルとして管理される。
(2)  画像編集
その後、画像編集部３は、編集機能の1つである画像合成機能を用いて、両面原稿の読み取りモードの動作によって作成された「原稿表」「原稿裏」の画像を1つの画像に合成する処理を行う。なお、この合成処理には、画像記憶部４からコピーして取り出した表裏面の画像を用い、画像記憶部４は、「原稿表」「原稿裏」の画像をそのまま蓄積する。
(3)  データ出力
上記の画像合成処理により、表裏面の画像を統合して1つの画像とされた合成画像２ａについても、画像記憶部４に１画像ファイルとして蓄積する。従って、画像記憶部４には、両面原稿を読み取り、そのまま「原稿表」「原稿裏」の画像として、それぞれを別個に蓄積した画像データ２ｄと、画像合成によって表裏面が合成された合成画像として蓄積した画像データ２ａが、１回の読み取りの出力結果として得られる。
【００１２】
「実施形態２」
本実施形態は、表裏面の合成画像を変倍して出力することを可能にするものである。
従来、等倍処理によって得られる元の原稿サイズのデータを単純に合成する場合、合成後の電子画像の面積は元の２倍のサイズとなり、印刷画像サイズは大きなものとなってしまい、ユーザーの要求や使用目的によって、適応性を欠く。
そこで、本実施形態では、指定された変倍の合成画像を出力するようにして、両面原稿読み取りにより得られる画像データの利用性の向上を図るものである。また、読み取り条件を変更する方法で変倍を行うことにより、高画質の維持を図ることを可能にしている。
図３は、本実施形態の両面原稿の画像読取・画像合成の処理フローを説明する図である。  図３を参照して、この画像読取・画像合成の処理過程を説明する。
(1)  原稿読み取り
ユーザーは、先ず、操作部６に入力操作を行って、両面原稿の読み取りモードを動作条件として設定する。その際に、読み取り条件として、変倍率を設定する。
図４は、本実施形態の設定入力画面の１例を示す。同図に示すように、操作部６の入力画面６１に、“両面読み取りモード設定”時の画面として、変倍率を指定するための変倍率ボックス６５及び実行キー６７、キャンセルキー６９をそれぞれ設けた画面を用意する。この例では、デフォルトで等倍（１００％）を指定し得る様にし、他の変倍率を設定する場合には、テンキーの操作により任意の変倍率（例えば、５０％に縮小）を指定できるようにする。なお、変倍の指定については、図４のように、寸法の変倍率でもよいし、解像度の指定でもよい。解像度の場合、元の２００ｄｐｉを４００ｄｐｉとして扱うと、見かけ上５０％縮小になる。変倍率もしくは解像度を指定した後、実行キーを押すことにより、設定操作を完了する。
【００１３】
設定入力画面で読み取りモードを設定した後、画像処理装置の原稿読取部２に両面原稿をセットして、スタートボタンの操作により、スタートさせる。
制御部１は、設定された両面原稿の読み取りモードの動作を原稿読取部２に指示する。この指示に従い、原稿読取部２は、「原稿表」「原稿裏」の画像２ｉの読み取りを行う。このとき、原稿読取部２では、設定された読み取り条件で原稿面をスキャナで読み取って、得られる画像信号に各種補正を施し、デジタルの画像に変える。なお、変倍率もしくは解像度の設定に従った読み取り動作が可能なスキャナは公知技術であり、本実施形態は、この公知技術を適用することにより実施可能である。
原稿読取部２で作成した画像は、記憶部４に一旦蓄積される。このときに蓄積される画像は、「原稿表」「原稿裏」の画像２ｉそれぞれ別個の画像である。
(2)  画像編集
その後、画像編集部３は、編集機能の1つである画像合成機能を用いて、両面原稿の読み取りモードの動作によって作成された「原稿表」「原稿裏」の画像を1つの画像に合成する処理を行う。なお、この合成処理には、画像記憶部４に一旦蓄積した表裏面の画像、即ち、指定の倍率で読み取った「原稿表」「原稿裏」の画像を用いる。
(3)  データ出力
上記の画像合成処理により、表裏面の画像を統合して1つの画像とされた合成画像を再び画像記憶部４に蓄積する。このときは、合成画像であるから、当然、１画像ファイルとして蓄積される。図３に示すように、指定倍率が等倍であれば、等倍の表裏面の合成画像データ２ａが、また指定倍率が変倍であれば、変倍の表裏面の合成画像データ２ｂが画像記憶部４に蓄積され、１回の読み取りの出力結果として得られる。
【００１４】
「実施形態３」
本実施形態は、一回の読み取り動作によって、通常の両面出力（表裏面を別個に出力）から変倍の指定できる表裏面の合成画像の出力まで、各種の出力バリエーションをユーザーの指示に従って行うことを可能にするものである。
上記「実施形態１」では、通常の両面出力と合成画像の出力の両方を行う様にしているので、利用形態によっては、効率を低下させることになる。また、上記「実施形態２」では、合成画像の変倍率の指定が可能であるが、一回の読み取り動作で１つの合成画像の出力であり、これも利用形態によっては、効率を低下させることになる。
そこで、本実施形態では、“画像合成をするか、否か”と“変倍をするか、否か”さらに変倍時の“変倍率”の指定を可能にし、この設定操作を一回の原稿読み取りに対して複数回行うことを可能にする。このようにすることにより、通常の両面出力、合成画像出力をそれぞれ単独で行ったり、組み合わせて行う場合のあらゆる要求に応えることを意図するものである。
図５は、本実施形態の両面原稿の画像読取・画像合成の処理フローを説明する図である。  図５を参照して、この画像読取・画像合成の処理過程を説明する。
(1)  原稿読み取り
ユーザーは、先ず、操作部６に入力操作を行って、両面原稿の読み取りモードを動作条件として設定する。その際に、それぞれ“画像合成をするか、否か”と“変倍をするか、否か”さらに変倍時の“変倍率”を指定可能とし、又、複数の設定を可能とする。
図６は、本実施形態の設定入力画面の１例を示す。同図に示すように、操作部６の入力画面６１に、“両面読み取りモード設定”時の画面として、“画像合成をするか、否か”を指定する集約キー６３、“変倍をするか、否か”を指定する変倍キー６４、変倍率を指定するための変倍率ボックス６５及び実行キー６７、キャンセルキー６９をそれぞれ設けた画面を用意する。図６に示す例では、集約キー６３、変倍キー６４及び変倍率ボックス６５を複数組（図示では、３組）設け、複数のバリエーションの設定を行うことができるようにしている。
また、この例では、変倍率は、デフォルトで等倍（１００％）を指定し得る様にし、変倍を指定する場合には、テンキーの操作により変倍時に求める任意の変倍率（例えば、５０％に縮小）を指定できるようにする。なお、変倍の指定については、図６のように、寸法の変倍率でもよいし、解像度の指定でもよい。解像度の場合、元の２００ｄｐｉを４００ｄｐｉとして扱うと、見かけ上５０％縮小になる。変倍率もしくは解像度を指定した後、実行キーを押すことにより、設定操作を完了する。
【００１５】
設定入力画面で読み取りモードを設定した後、画像処理装置の原稿読取部２に両面原稿をセットして、スタートボタンの操作により、スタートさせる。
制御部１は、設定された両面原稿の読み取りモードの動作を原稿読取部２に指示する。この指示に従い、原稿読取部２は、「原稿表」「原稿裏」の画像２ｉの読み取りを行う。このとき、原稿読取部２では、設定された読み取り条件で原稿面をスキャナで読み取って、得られる画像信号に各種補正を施し、デジタルの画像に変える。なお、読み取りは１回であるから、複数の設定で指定された変倍率もしくは解像度が異なる場合、読み取り条件は、最も高倍率もしくは高解像度の条件に従って読み取りを行う。また、複数の変倍が指定され、指定された中に変倍をかけない読み取り条件がある場合に、変倍をかけない読み取り条件を優先させても良い。
原稿読取部２で作成した画像は、記憶部４に蓄積される。このときに蓄積される画像は、「原稿表」「原稿裏」の画像２ｉそれぞれ別個の画像である。
(2)  画像編集
その後、集約の設定が行われている場合には、画像編集部３は、編集機能の1つである画像合成機能を用いて、両面原稿の読み取りモードの動作によって作成された「原稿表」「原稿裏」の画像を1つの画像に合成する処理を行う。なお、この合成処理には、画像記憶部４に蓄積した表裏面の画像、即ち、指定の倍率で読み取った「原稿表」「原稿裏」の画像を用いる。
また、複数の設定で指定された変倍率もしくは解像度が異なる場合、指定された条件の中に読み取り条件と適合しない倍率が存在する。本実施形態のように、最も高倍率もしくは高解像度の条件に従って読み取られる場合には、画像編集部３で縮小の変倍処理を行う。なお、変倍処理は、合成処理の前でも良いし、後で行っても良い。
(3)  データ出力
上記の画像合成処理により、表裏面の画像を統合して1つの画像とされた合成画像を再び画像記憶部４に蓄積する。このときは、合成画像であるから、当然、１画像ファイルとして蓄積される。
複数の設定で集約が指定されている場合には、複数の合成画像が画像記憶部４に蓄積される。図５に示すように、読み取り条件１〜３の３種類の設定が行われた場合、集約で倍率が等倍の指定であれば（読み取り条件１）、等倍の表裏面の合成画像データ２ａと、集約で倍率が変倍の指定であれば（読み取り条件２）、変倍の表裏面の合成画像データ２ｂが画像記憶部４に蓄積される、また、集約も変倍の指定もしていない場合には（読み取り条件３）、原稿読取部２で読み取ったままの原稿表裏面それぞれの画像データ２ｄが画像記憶部４に蓄積される。画像記憶部４に蓄積されたこれらの画像データが、１回の読み取りの出力結果として得られる。
このように、本実施形態では、両面原稿の読み取り出力として、通常の両面出力、合成画像出力及びこれらの組み合わせ、といったユーザーが求めるあらゆる要求に応えることが可能になる。なお、本実施形態の設定おいて、“集約する”を１つしか設定しなければ、「実施形態２」とほぼ同等の動作になる。また、“集約、変倍いずれもしない”と“集約する、変倍なし”の２条件を設定すれば、「実施形態１」とほぼ同等の動作となる。
【図面の簡単な説明】
【００１６】
【図１】本発明の実施形態に係わる画像処理装置の基本構成を示す。
【図２】両面原稿の画像読取・画像合成の処理フロー（実施形態１）を説明する図である。
【図３】両面原稿の画像読取・画像合成の処理フロー（実施形態２）を説明する図である。
【図４】両面読取モードの設定入力画面の１例を示す。
【図５】両面原稿の画像読取・画像合成の処理フロー（実施形態３）を説明する図である。
【図６】両面読取モードの設定入力画面の１例を示す。
【符号の説明】
【００１７】
１・・制御部、                      ２・・原稿読取部、
３・・画像編集部、                  ４・・画像記憶部、
５・・画像出力部、                  ６・・操作部、  
７・・通信部。
【図１】
2006148244.tif 000003
【図２】
2006148244.tif 000004
【図３】
2006148244.tif 000005
【図４】
2006148244.tif 000006
【図５】
2006148244.tif 000007
【図６】
2006148244.tif 000008